(57)【要約】【課題】天板を昇降可能な天板付家具を使用する際に天板の昇降位置にかかわらず使用者がコンセントを有効に利用し得る天板付家具を提供する。【解決手段】本発明に係る天板付家具１は、上面側に開口６３を有する天板６と、この天板６を下方から昇降可能に支持する脚たる端部脚２並びに中間脚３と、天板６の上面側に露出する第一のコンセント７１と、天板６の下面側の縁部近傍において外方に面する第二のコンセント７２とを具備する天板付家具１であって、第一のコンセント７１及び第二のコンセント７２は、天板６の昇降動作に係る可動域に対応した配線余長を持たせていることを特徴とする。【選択図】図６
2018000750.tif 000002
【特許請求の範囲】
【請求項１】
上面側に開口を有する天板と、
この天板を下方から昇降可能に支持する脚と、
天板の上面側に露出する第一のコンセントと、
前記天板の下面側の縁部近傍において外方に面する第二のコンセントと
を具備する天板付家具であって、
前記第一のコンセント及び前記の第二コンセントは、前記天板の昇降動作に係る可動域に対応した配線余長を持たせてあることを特徴とする天板付家具。
【請求項２】
前記第一のコンセントが、前記開口から外方へ露出するアクセス可能状態と前記開口内に収容され外方からアクセスし得ない非アクセス状態との間で動作可能に構成されている請求項１記載の天板付家具。
【請求項３】
前記第一のコンセントが、前記アクセス可能状態で外方へ向けて斜め上方に面する請求項２記載の天板付家具。
【請求項４】
前記天板の下面側における前記開口に臨む位置に配された配線ダクトを有するものであり、
前記配線ダクトが、前記第一のコンセントに接続する上側配線を収容する上側収容空間と前記第二のコンセントに接続する下側配線を収容する下側収容空間とを上下方向に仕切るための上下分別機構を有する請求項１〜３の何れかに記載の天板付家具。
【請求項５】
前記配線ダクトが前記天板の下面側に取り付けられ前記脚との間に介在するビーム材の一部と交差するように配されたものであり、
前記配線ダクトから延出する前記第二のコンセントに接続する配線の略全てが前記ビーム材の内部に配されている請求項４記載の天板付家具。
【請求項６】
前記配線ダクトが、前記天板を昇降させるために前記脚に接続される天板昇降用配線を収容するとともに、
前記配線ダクトから延出する前記天板昇降用配線の略全てが前記ビーム材の内部に配されている請求項５記載の天板付家具。
【発明の詳細な説明】
【技術分野】
【０００１】
本発明は、オフィス等において好適に用いられている天板付家具に関するものである。
【背景技術】
【０００２】
従来、天板を昇降させて天板面の高さを自在に変更可能な天板付家具が知られている。例えば特許文献１には、左右の脚支柱を同期して昇降させて天板面の高さを調整する天板付家具が記載されている。
【０００３】
ところで、多くの天板付家具では、天板上で使用するパーソナルコンピュータ等に接続するためのコンセントが設けられている。そして、床面から延出する配線は当該コンセントに接続される。
【先行技術文献】
【特許文献】
【０００４】
【特許文献１】特開２０１６−８６９１４号公報
【発明の概要】
【発明が解決しようとする課題】
【０００５】
しかしながら、天板が昇降動作をおこなうために、使用者にとって所定の一箇所に設けられたコンセントが必ずしも使用し易い位置に位置付けられるとは限られない。また勿論、コンセントの取付位置を移動可能に設ける移動機構を設けるという方策も考えられるが、斯かる構成であると、使用者は天板付家具を利用する度に移動機構を調整するという煩雑な操作を強いられることとなる。
【０００６】
すなわち、天板の高さ位置に関わらず、常に使用者にとって取り扱いがし易い位置にコンセントが位置づけられるような天板付家具が求められているのが現状である。
【０００７】
本発明は、上記のような課題を解消することを目的としており、天板を昇降可能な天板付家具を使用する際に天板の昇降位置にかかわらず使用者がコンセントを有効に利用し得る天板付家具を提供することを目的とするものである。
【課題を解決するための手段】
【０００８】
本発明は、かかる目的を達成するために、次のような手段を講じたものである。
【０００９】
すなわち、本発明に係る天板付家具は、上面側に開口を有する天板と、この天板を下方から昇降可能に支持する脚と、天板の上面側に露出する第一のコンセントと、前記天板の下面側の縁部近傍において外方に面する第二のコンセントとを具備する天板付家具であって、前記第一のコンセント及び前記の第二コンセントは、前記天板の昇降動作に係る可動域に対応した配線余長を持たせてあることを特徴とする。
【００１０】
ここで、「コンセント」とは、電化製品に給電するための給電コンセントに限られることはなく、ＬＡＮケーブルや電話回線といった情報を転送するための情報コンセントをも含まれる概念である。
【００１１】
このようなものであれば、天板の高さ位置を低く設定しているときには使用者は天板の上面側に露出する第一のコンセントを好適に使用できるとともに、天板の高さ位置を高く設定しているときには第一のコンセントへのアクセスが使用者に取って難しくなったときには第二のコンセントの方が容易にアクセスできるようになる。しかも、天板の昇降動作に斯かる可動域に対応した状態でこれらのコンセントは外部に接続されているため、配線が天板の昇降に伴って不自然に引っ張られることもない。すなわち本発明によれば、天板の昇降位置にかかわらず使用者がコンセントを有効に利用し得る天板付家具を提供することが可能となる。
【００１２】
天板をより好適に利用し得るようにするためには、第一のコンセントを、開口から外方へ露出するアクセス可能状態と開口内に収容され外方からアクセスし得ない非アクセス状態との間で動作可能なものとすることが望ましい。
【００１３】
使用者に取ってより使いやすい第一のコンセントの構成としては、アクセス可能状態で外方へ向けて斜め上方に面する構成を挙げることができる。
【００１４】
そして、第一のコンセント及び第二のコンセントに接続する配線が互いに干渉してしまうことを有効に回避するためには、天板の下面側における開口に臨む位置に配された配線ダクトを有するものとし、配線ダクトを、第一のコンセントに接続する上側配線を収容する上側収容空間と第二のコンセントに接続する下側配線を収容する下側収容空間とを上下方向に仕切るための上下分別機構を有するものとすることが望ましい。
【００１５】
そして配線を外方から目立たないように配する具体的な構成としては、配線ダクトを天板の下面側に取り付けられ脚との間に介在するビーム材の一部と交差するように配されたものとし、前記配線ダクトから延出する前記第二のコンセントに接続する配線の略全てをビーム材の内部に配するという構成を挙げることができる。
【００１６】
配線ダクトに収容する配線をより外方から目立たないようにするためには、配線ダクトを、天板を昇降させるために脚に接続される天板昇降用配線を収容するとともに、配線ダクトから延出する天板昇降用配線の略全てをビーム材の内部に配するようにすれば良い。
【発明の効果】
【００１７】
本発明は、以上説明した構成であるから、天板を昇降可能な天板付家具を使用する際に天板の昇降位置にかかわらず使用者がコンセントを有効に利用し得る天板付家具を提供することができる。
【図面の簡単な説明】
【００１８】
【図１】本発明の一実施形態に係る外観図。
【図２】同実施形態に係る正面図。
【図３】同背面図。
【図４】同側面図。
【図５】同実施形態に係る底面側から見た斜視図。
【図６】同実施形態に係る構成説明図。
【図７】同実施形態に係る中央側断面図。
【図８】同実施形態に係る動作説明図。
【図９】同実施形態に係る作用説明図。
【図１０】同上。
【図１１】同上。
【発明を実施するための形態】
【００１９】
以下、本発明の一実施形態を、図１〜図１１を参照して説明する。
【００２０】
図１に示すように、本実施形態の天板付家具１は、床面から立設する端部脚２及び中間脚３と、この中間脚３の上端に取り付けられた天板支持体としての役割を奏するビーム材４と、このビーム材４に取り付けられた配線ダクト５と、ビーム材４の上側に固定支持されている天板６とを主体としたものである。また端部脚２、中間脚３は操作ユニット９を介して使用者に操作されることにより天板６が昇降するよう伸縮可能な構成を備えている。なお本実施形態では天板付家具１に使用される後述する各配線について、図示及び説明の便宜上図１〜図７に至るまでは省略するとともに、特に図９〜図１１に具体的に図示するものとする。
【００２１】
また天板付家具１は、使用者が各種の電化製品を好適に利用できるよう、天板６の上面側から使用可能な第一のコンセント７１と、天板６の下面側における縁部近傍に設けられた第二のコンセント７２とを更に有している。そしてこれら第一のコンセント７１、第二のコンセント７２に加え、上述した操作ユニット９が具備する各配線はビーム材４、配線ダクト５及び中間脚３に沿って集約された状態で床面へ案内されている。
【００２２】
ここで、本実施形態に係る天板付家具１は、上面側に開口６３を有する天板６と、この天板６を下方から昇降可能に支持する脚たる端部脚２並びに中間脚３と、天板６の上面側に露出する第一のコンセント７１と、天板６の下面側の縁部近傍において外方に面する第二のコンセント７２とを具備する天板付家具１であって、第一のコンセント７１及び第二のコンセント７２は、天板６の昇降動作に係る可動域に対応した配線余長を持たせていることを特徴とする。
【００２３】
以下、天板付家具１の各構成要素の構成について説明する。
【００２４】
端部脚２は、図１〜図６に示すように、天板６の四隅にそれぞれ配されて天板６を下側から支持するものであり、本実施形態では電動によるテレスコピック状に伸縮可能な構成とすることにより、天板６を昇降可能に支持し得るものとしている。そしてこの端部脚２は、長手方向一端側、他端側のそれぞれ二つの端部脚２同士が下端部において端部ベース２Ｂに連結されることにより、これら二つの端部脚２及び端部ベース２Ｂで端部脚ユニット２Ｕが構成されている。
【００２５】
中間脚３は、図１〜図６に示すように、天板６の長手方向における中間部分において天板６の端縁から退避した箇所に複数配されたものである。当該中間脚３は、天板６の長手方向中間部分にそれぞれ配されて天板６を下側から支持するものであり、上記端部脚２同様テレスコピック状に延出及び短縮可能、すなわち伸縮可能として天板６を昇降可能に支持し得るものである。この中間脚３は、天板６の短寸方向に並ぶ二本の端部脚２同士が中間ベース３Ｂにより連結されるとともに、下側が案内装置３Ｃに覆われるように構成することで、これら中間脚３、中間ベース３Ｂ及び案内装置３Ｃにより、中間脚ユニット３Ｕが構成されている。また中間ベース３Ｂは、案内装置３Ｃ内に案内された配線を床面へ誘導するための床側開口３Ｂ１を有している。そして案内装置３Ｃは、中間脚３の非動作部分である下側部分を外方から被覆する形状をなすものであり、上方に向けて長穴状に開口する配線導入口３Ｃ１（図６、図１０）と、中間脚３間に形成される案内空間Ｘを外方から仕切る仕切壁３Ｃ２とを有している。
【００２６】
ビーム材４は、図２〜図８、図１０及び図１１に示すように、端部脚２及び中間脚３の上端に固定されることにより天板６を直接的に支持するためのものであり、端部脚２及び中間脚３に直接接続し且つ配線ダクト５に交差するように設けられている第一ビーム材４１と、この第一ビーム材４１に交差して天板６の長手方向に沿って設けられる第二ビーム材４２とを有している。そしてこれら平面視概略格子形状をなす第一、第二ビーム材４１、４２は、それぞれ内部に配線を挿通し得るように、立面側に連通開口４１ａ、４２ａを有している。また第一ビーム材４１は更に、配線ダクト５からの配線を導入すべくその中央部分にビーム側開口たる中間開口４１ｂと、端部脚２及び中間脚３との接続箇所近傍に設けられた脚用開口４１ｃと、長手方向両端の一部を凹ませて形成した端部開口４１ｄとを更に有している。
【００２７】
配線ダクト５は、図２〜図１１に示すように、天板６の下面側において複数の中間脚３の間を通り延出するものである。この配線ダクト５は、天板６の長手方向に沿って延びる板金素材を概略コの字状に折り曲げ成形したダクト本体５１と、このダクト本体５１の端部に固定され上記ビーム材４に固定される端取付板５２及び中間取付板５３と、ダクト本体５１の底壁５１ａに組み付けられダクト本体５１内を上下に仕切るための上下分別機構５４とを有している。ダクト本体５１には、中間脚３に臨む底壁５１ａの一部分を凹ませて形成した連通凹部５１ｂが形成されている。この連通凹部５１ｂにより、配線ダクト５内の配線は好適に中間脚３側へ案内される。そして端取付板５２及び中間取付板５３は、それぞれダクト本体５１の両端に固定されつつ第一ビーム材４１の中央部分に固定されたものである。これにより配線ダクト５は、中間脚３に支持された第一ビーム材４１と平面視交差するように配される。端取付板５２及び中間取付板５３には、第一ビーム材４１の中間開口４１ｂに連通するビーム用開口５２ａ、５３ａが設けられている。中間取付板５３には、第一ビーム材４１を介して連続する他のダクト本体５１へ連通するための連通孔５３ｂが設けられている。上下分別機構５４は、天板６の開口６３に臨む位置に例えば４つ配された板金素材をチャネル状に折り曲げてなるものであり、開口６３を挿通するか或いは開口６３から露出する第一のコンセント７１に接続する上側配線を収容する上側収容空間Ｕと開口６３からアクセスし得ない装置である第二のコンセント７２のコードや操作ユニット９の操作板９１に接続する操作コード９２といった下側配線を収容する下側収容空間Ｄとを上下方向に仕切るためのものである。またこのチャネル材である上下分別機構５４は、ダクト本体５１内を更に縦方向に仕切るための縦仕切部５４ａを有している。なお当該上下分別機構５４は、図示の通り開口６３に臨む位置に限られず、使用者の手が開口６３へ差し入れられたときに触れ得る位置に配置されていればよい。
【００２８】
天板６は、図１〜図５及び図８に示すように、本実施形態では端部脚２に支持される対をなす端天板６１と、専ら中間脚３に支持される中間天板６２とを有している。これら端天板６１及び中間天板６２はそれぞれ平面視中央部分に配線ダクト５を露出させるための開口６３を有している。この天板６は、例えば本実施形態では図１〜図５に示すような、一般的な成人が椅子に着席姿勢で適切に利用できる高さ位置から、図８に示すような起立姿勢で肘をついて利用できる高さ位置の間で昇降可能に構成される。
【００２９】
第一のコンセント７１は、図１、図６、図７及び図９に示すように、上述した天板６に設けられた開口６３を開閉し得るように構成されたものであり、開口６３を開閉可能に回転動作する開閉蓋７１ｃと、この開閉蓋７１ｃに取り付けられ開口６３を開成するアクセス可能状態において斜め上方に面するように配されたコンセント本体７１ａと、これら開閉蓋７１ｃ及びコンセント本体７１ａを回転動作可能に支持しつつ天板６の下面側に固定される取付部材７１ｄと、コンセント本体７１ａに給電するためのコード７１ｂとを有している。なお本実施形態では図９の図示を、一部の開閉蓋７１ｃの図示を略することにより非アクセス状態にあるコンセント本体７１ａを敢えて図示するようにしている。すなわち本実施形態では第一のコンセント７１を、通常は開口６３内に収容され直接アクセスし得ない非アクセス状態としつつ、コンセント本体７１ａに直接アクセスするときのみ図７に想像線で示すようにコンセント本体７１ａが開口６３から外方へ露出するアクセス可能状態とすることができる。これにより、使用者はアクセス可能状態においてコンセント本体７１ａに容易にアクセスし得るのみならず、コンセント本体７１ａへのアクセスが済めばコンセント本体７１ａに使用者側の電源コードを接続したまま非アクセス状態として第一のコンセント７１を利用すれば良い。すなわち、第一のコンセント７１は非アクセス状態でも、開閉蓋７１ｃと開口６３との隙間から天板面上へ電源コードを持ち出して利用することができる。このとき、天板６と開閉蓋７１ｃとは面一に保たれるので、天板６の利便性がより向上したものとなっている。更に同図に示すように第一のコンセント７１のコンセント本体７１ａはアクセス可能状態で外方へ向けて斜め上方に面するように設定し、使用者へのアクセスの便を有効に高めている。そしてこの第一のコンセント７１はダクト本体５１に取り付けられた上下分別機構５４の上側に配されている。これにより、当該第一のコンセント７１のコード７１ｂは上下分別機構５４により仕切られた上側収容空間Ｕに収容されることとなる。
【００３０】
第二のコンセント７２は、図２、図３、図５〜図７に示すように、天板６の下面側の縁部近傍において外方に面するように設けられたものである。この第二のコンセント７２は、第二ビーム材４２の端部近傍に固定されたタップ７２ａと、このタップ７２ａからビーム、配線ダクト５及び中間脚３を伝って床面側に延びるコード７２ｂとを有している。すなわち当該コード７２ｂは、配線ダクト５内において上下分別機構５４により仕切られた下側収容空間Ｄに収容される。
【００３１】
操作ユニット９は、図２〜図７及び図１１に示すように、端部脚２、中間脚３をそれぞれ伸縮させるためにこれら端部脚２、中間脚３に電気的に接続する天板昇降用配線たる操作コード９２と、この操作コード９２に接続され天板６を昇降させるための使用者からの操作を受け付ける操作板９１とを有している。なお本実施形態では、操作板９１は両端の端天板６１の隅部分にそれぞれ対角となるように対をなして設けられている。そしてそれぞれの操作板９１は近接する端部脚２及び中間脚３にそれぞれ操作コード９２を介して有線にて接続するとともに、他方の操作板９１に接続される端部脚２及び中間脚３と同期できるよう、他方の操作板に対して有線又は無線による接続がなされている。これにより、一の操作板９１のみに操作がなされていても、計八本の脚すなわち端部脚２、中間脚３がそれぞれ同期しながら伸縮可能となっている。なお操作コード９２、操作板９１、端部脚２、中間脚３を関連づけるための具体的な配線態様は既存の種々の態様を適宜利用し得るため、本実施形態では詳細な説明を省略し、あくまで操作コード９２と配線ダクト５、ビーム材４との関係について詳述する。またこの操作コード９２は操作板９１及び各端部脚２、中間脚３に接続する部分の略すべてがビーム材４、配線ダクト５及び、中間脚ユニット３Ｕに形成された案内空間Ｘ内に配されている。換言すれば、当該操作コード９２は、配線ダクト５から延出する部分の略全てがビーム材４の内部に配されている。
【００３２】
そして本実施形態の天板付家具１は、少なくとも上記第一のコンセント７１、第二のコンセント７２及び操作ユニット９における操作コード９２の一部を配線ダクト５から例えば一の中間脚３へと集約しながら案内するための配線集約装置８を有している。
【００３３】
この配線集約装置８は、本実施形態では硬質環状の集約パーツ８１と、これら集約パーツ８１をそれぞれ相対動作可能に接続する接続要素８２とを有することで全体として可撓性を有するように構成されたものである。配線集約装置８は、配線ダクト５内に収容された複数の配線である少なくとも第一のコンセント７１、第二のコンセント７２のコード７２ｂ及び操作コード９２を可撓性を有した状態で集約し得るものであり当該配線の端部を配線ダクト５から床面まで天板６の昇降動作に係る可動域に対応した配線余長を持たせた状態で下方に垂下させ得るものである。
【００３４】
しかして本実施形態に係る天板付家具１は、配線ダクト５から垂下した配線集約装置８を複数の中間脚３の間の案内空間Ｘに沿って垂下するように案内する案内装置３Ｃを中間脚ユニット３Ｕの一部として具備するものである。更に本実施形態に係る天板付家具１は、第一のコンセント７１及び第二のコンセント７２は、天板６の昇降動作に係る可動域に対応した配線余長を持たせた状態で外部に接続され得るように構成している。
【００３５】
すなわち図４に示した状態から天板６を上昇させると図８に示す状態となるが、配線集約装置８が配線余長を有している配線をすべて集約しながら可撓変形するために、配線同士が無理に引っ張られることも互いに干渉し合うこともなく全ての配線が好適に案内される。
【００３６】
また本実施形態では、配線ダクト５には第一のコンセント７１のコード７１ｂの他、第二のコンセント７２のコード及び天板６昇降用配線たる操作コード９２を収容しているが、図９に示すように、第一のコンセント７１のコードは上下分別機構５４の上側の上側収容空間Ｕに配される一方、第二のコンセント７２のコード及び操作コード９２は上下分別機構５４の下側の下側収容空間Ｄに配される。これにより、それぞれの配線が整理され不要に干渉し合うことは無い。特に本実施形態では、チャネル状をなす上下分別機構５４は配線ダクト５を縦方向にも仕切る縦仕切部５４ｂを有しているので、各配線はさらに好適に分別整理され得る。
【００３７】
更に本実施形態では、配線ダクト５から延出する第二のコンセント７２のコード、及び天板昇降用配線たる操作コード９２の略全てがビーム材４の内部に配されている。
【００３８】
すなわち図１０に示すように、配線集約装置８に集約された配線はダクト本体５１の連通凹部５１ｂを通って配線ダクト５内に案内される。そして配線ダクト５内に案内された第二のコンセント７２のコードや操作コード９２は中間取付板５３のビーム用開口５３ａ及び第一ビーム材４１の中間開口４１ｂを通って第一ビーム材４１の内部に案内される。また天板昇降用配線、すなわち操作コード９２は脚用開口４１ｃを通って殆ど外部に露出することなく中間脚３へ接続される。
【００３９】
そして図１１に示すように、配線ダクト５から延出し第一ビーム材４１内に案内された第二のコンセント７２のコード７２ｂは、第一ビーム材４１の連通開口４１ａを経て第二ビーム材４２の連通開口４２ａを通り、タップ７２ａへと到達する。また天板昇降用配線、すなわち操作コード９２は脚用開口４１ｃを通って殆ど外部に露出することなく端部脚２へ接続される。また、操作板９１に接続する操作コード９２は端部開口４１ｄを通って殆ど露出することなく操作板９１に接続される。
【００４０】
以上のように、本実施形態に係る天板付家具１は、昇降可能に構成された天板６の上面側に露出する第一のコンセント７１と、天板６の下面側の縁部近傍において外方に面する第二のコンセント７２は、天板６の昇降動作に係る可動域に対応した配線余長を持たせてあることを特徴とする。
【００４１】
斯かる構成とすることにより、天板６の高さ位置を低く設定しているときには使用者は天板６の上面側に露出する第一のコンセント７１を好適に使用できるとともに、天板６の高さ位置を高く設定しているときには第一のコンセント７１へのアクセスが使用者に取って難しくなったときには第二のコンセント７２の方が容易にアクセスできるようになる。しかも、天板６の昇降動作に斯かる可動域に対応した状態でこれらのコンセントは外部に接続されているため、配線が天板６の昇降に伴って不自然に引っ張られることもない。すなわち本実施形態によれば、天板６の昇降位置にかかわらず使用者がコンセント７１、７２を有効に利用し得る天板付家具１が実現される。
【００４２】
また本実施形態では第一のコンセント７１を、開口６３から外方へ露出するアクセス可能状態と開口６３内に収容され外方からアクセスし得ない非アクセス状態との間で動作可能なものとすることで、第一のコンセント７１を容易に利用可能としつつも天板６の利便性をより向上せしめている。
【００４３】
使用者に取ってより使いやすいように本実施形態では。第一のコンセント７１の構成としては、アクセス可能状態で外方へ向けて斜め上方に面するように位置づけている。
【００４４】
そして本実施形態では、配線ダクト５を、第一のコンセント７１に接続する上側配線を収容する上側収容空間Ｕと第二のコンセント７２に接続する下側配線を収容する下側収容空間Ｄとを上下方向に仕切るための上下分別機構５４を有するものとすることで第一のコンセント７１及び第二のコンセント７２に接続する配線が互いに干渉してしまうことを有効に回避せしめている。
【００４５】
また本実施形態では、配線ダクト５から延出する第二のコンセント７２に接続する配線の略全てを当該配線ダクト５に一部が交差して配されるビーム材４の内部に配するという構成を適用することで、コード７２ｂが外方から殆ど視認し得ないまでに目立たないようにしている。
【００４６】
特に本実施形態ではコード７２ｂのみならず配線ダクト５に収容する他の配線である天板６を昇降させるための配線である操作コード９２をも略全てをビーム材４の内部に配するようにしている。
【００４７】
以上、本発明の一実施形態について説明したが、各部の具体的な構成は、上述した実施形態のみに限定されるものではなく、本発明の趣旨を逸脱しない範囲で種々変形が可能である。
【００４８】
例えば上記実施形態では長手方向において端部脚と端部脚との間に二箇所に中間脚を配した天板付家具を開示したが、上記実施形態に係る天板付家具は、中間脚の数や天板の大きさを限定するものではない。特に上記実施形態に係る天板付家具は、導入しようとするオフィスの規模に応じて中間脚の数を調整し、当該中間脚の数に応じてビーム、配線ダクト、中間天板の数を適宜調整することにより任意の大きさに設定することができる。
【００４９】
また、ビームや脚の昇降機能、更には操作ユニットの具体的な形状や仕様といったその他の詳細な構成も、本発明の趣旨を逸脱しない範囲で種々変形が可能である。
【符号の説明】
【００５０】
１・・・天板付家具
２・・・端部脚
３・・・中間脚
６・・・天板
６３・・・開口
７１・・・第一のコンセント
７２・・・第二のコンセント
【図１】
2018000750.tif 000003
【図２】
2018000750.tif 000004
【図３】
2018000750.tif 000005
【図４】
2018000750.tif 000006
【図５】
2018000750.tif 000007
【図６】
2018000750.tif 000008
【図７】
2018000750.tif 000009
【図８】
2018000750.tif 000010
【図９】
2018000750.tif 000011
【図１０】
2018000750.tif 000012
【図１１】
2018000750.tif 000013